(57)【要約】【課題】特別な施工工事を行うことなく容易に組み立てることができ、動物の出入りや幼児の抜け出しを防止する。【解決手段】載置面に載置され所定重量を具備し上面に支持穴が設けられた台座と、支持穴に回転不能に嵌入される脚部および脚部より上方へ突出する軸部を備える支柱と、軸部に回転を規制されて設けられた係合部と、係合部に係合する被係合部が側部に設けられたフェンスと、フェンスの下端隅部は、フェンスの被係合部が係合部に係合した状態において、フェンスが台座との間にて所定隙間を介して配置される形状に形成され、フェンスの被係合部が係合部に係合した状態において、フェンスの下端は、台座が載置された載置面との間に所定の下端隙間を設けて配置される形状に形成されている。【選択図】図２
2016079664.tif 000002
【特許請求の範囲】
【請求項１】
載置面に載置され所定重量を具備し上面に支持穴が設けられた台座と、
前記支持穴に回転不能に嵌入される脚部および前記脚部より上方へ突出する軸部を備える支柱と、
前記軸部に回転を規制されて設けられた係合部と、
方形状に形成され前記係合部に係合する被係合部が側部に設けられたフェンスと、
前記フェンスの下端隅部は、前記フェンスの前記被係合部が前記係合部に係合した状態において、前記フェンスが前記台座との間に所定隙間を介して配置される形状に形成され、
前記フェンスの前記被係合部が前記係合部に係合した状態において、前記フェンスの下端は、前記台座が載置された前記載置面との間に所定の下端隙間を設けて配置される形状に形成されている組立式フェンス。
【請求項２】
前記係合部は、前記支柱と同軸に設けられた鍔状部と、
前記鍔状部に円周方向に沿って複数配置された係止部と、
を有し、
前記被係合部は、前記フェンスの側部に上下方向に沿って延在し、少なくとも前記フェンスの面に対して直角な方向に抜けないように前記係止部に係止される被係止部を、有している請求項１に記載の組立式フェンス。
【請求項３】
前記係止部は、前記鍔状部に円周方向に沿って４５°毎に配置される請求項２に記載の組立式フェンス。
【請求項４】
前記鍔状部は、
前記軸部の上端に設けられ前記フェンスの上部に対応する上部鍔状部と、
前記軸部の下端に設けられ前記フェンスの下部に対応する下部鍔状部と、
を有している請求項２または３に記載の組立式フェンス。
【請求項５】
前記上部鍔状部の係止部は、前記鍔状部の軸心側から外周側に向かって溝幅が徐々に狭くなる台形状に形成された台形係止溝であり、
前記下部鍔状部の係止部は、前記鍔状部の軸心側から外周側に向かって溝幅が一定の矩形状に形成された矩形係止溝であり、
前記被係合部の前記被係止部は、水平方向の断面形状が、先端部に向かって徐々に広くなる逆台形状に形成された逆台形係止条である請求項４に記載の組立式フェンス。
【請求項６】
前記台座は、円の一部を直線で切断した一部円状をなして前記載置面に接する底面と、任意の水平面において、前記底面から上方に向かうにつれて、前記底面の円部の半径が徐々に小さくなる円弧が連続して形成する側方曲面と、前記円を切断した前記直線と平行に上方に向かって連続し、前記側方曲面の前記円弧の中心との距離が上方に向かって少なくなるか等しい側方平面と、を備え、
前記支持穴は、前記側方曲面の前記底面に平行な面における前記円弧の中心に同軸に設けられる請求項１乃至５のいずれか１項に記載の組立式フェンス。
【請求項７】
前記フェンスと同一形状のフェンスが、一方の側部が前記支柱と平行に隣接する状態で、回動フェンスとして設けられ、
前記支柱と同一形状の支柱が、閉状態に位置された前記回動フェンスの他方の側部と平行に隣接する状態で、他方支柱として並設され、
前記支柱の前記軸部に回動可能に組付けられるとともに、前記回動フェンスの一方の側部に設けられた前記被係合部に係合し固定されたヒンジ部材と、
前記回動フェンスの他方の側部に設けられた前記被係合部に、上下方向に移動可能にかつ水平方向に離脱不能に係合する掛止部材と、
前記他方支柱に設けられ、前記掛止部材の上下方向の移動により前記掛止部に掛止または離脱される被掛止部と、
がさらに設けられた請求項１に記載の組立式フェンス。
【発明の詳細な説明】
【技術分野】
【０００１】
本発明は、施工のための特別な工事を必要としないで容易に組立てることができる自立型のフェンスに関する。
【背景技術】
【０００２】
従来、組立式フェンスは、フェンスを支持する支柱を地面に打ち込んだり、基礎としてコンクリートを埋め込んだりする特別な工事を必要としないで、簡易に施工できるものとして知られている。
特許文献１には、このような組立式フェンスの支持具が記載されている。これは、台板上面に突設した一対の支持ブラケットと、断面がコ字状あるいはＩ字状で側面に上下に延在する係止溝を備えた支柱の下端とを、横軸と上下方向長孔とによって連結し、フェンス本体の左右両側部を支柱に嵌め込んで取り付けるものである。この組立式フェンスは、台板に突設した支持ブラケットと支柱とを、横軸と上下方向長孔とによって連結しているので、支柱を引き上げて下端面を台板上面から浮かした状態にし、横軸を中心に支柱を回転させることで支柱を垂直に起立させる。そして、この組立式フェンスは、垂直に起立した支柱の係止溝にフェンス本体の側部を嵌め込むことで、フェンス本体が支柱により支持される。
【０００３】
また、特許文献２には、壁部下端の少なくとも両側に支持杆を設けて脚部を形成するとともに、壁部上端の両側に受け孔を設けた単位フェンスと、単位フェンスにおける脚部の支持杆を挿入して支持する支持孔を上面に設けた支持台と、隣接して立設させた単位フェンスの受け孔に嵌合する一対の連結杆を基板下面から延設した連結部材と、によりなるものが記載されている。この組立式フェンスは、単位フェンスの脚部の支持杆を支持台の支持孔に挿入させることにより単位フェンスを起立させることができ、更に隣接する単位フェンスの上面に設けた受け孔に連結部材の連結杆を嵌合することにより、隣接した単位フェンスを強固に固定することができる。
【先行技術文献】
【特許文献】
【０００４】
【特許文献１】実用新案登録第３０６０７５４号公報
【特許文献２】特開平８−１５８７１１号公報
【発明の概要】
【発明が解決しようとする課題】
【０００５】
しかし、特許文献１の組立式フェンスは、支柱を支えるのが平板の台板であり、重量のあるフェンス本体や支柱を安定して支持するためには、水平面で切断する支柱の面積に対して、台板を広い面積形状の平板とする必要がある。そのため、台板を設置する場所の面積を多く必要とし、台板の端部と支柱との距離が離れるため、フェンス本体は、組立式フェンスで囲うことが要求される場所の端部（例えば境界線）まで接近させて位置決めすることができず、広い範囲を囲うことができないおそれがあった。
【０００６】
特許文献２の組立式フェンスにおいて、支柱を支える支持台は、下面が開放した中空形状の樹脂成型物であり、開放した下面よりセメントを充填して固めることにより支持台全体の重量を大きくする。重量が大きくなった支持台は、支持台を設置する場所の面積を多く必要とすることなく、起立した単位フェンスを安定して支持することができる。
【０００７】
しかし、特許文献２に記載されている組立式フェンスにおいては、単位フェンスは、脚部である支持杆を支持台の上面の支持孔に挿入することで支持するものであり、単位フェンスの下端横桟を構成する枠部材は、支持台の上面よりも上方の高い位置に位置させる必要がある。そのため、単位フェンスの下端横桟と支持台が設置された載置面との間には、少なくとも支持台の高さ分の隙間が生じる。この隙間によって、組立式フェンスで囲った場所への猫などの動物の侵入、或いは組立式フェンスで囲った場所からの飼い犬の逃亡、幼児の抜け出し等を生じるおそれがあった。
【０００８】
本発明は、上述した問題を解消するためになされたもので、特別な施工工事を行うことなく容易に組み立てることができ、動物の出入りや幼児の抜け出しを防止することができる組立式フェンスを提供することを目的とする。
【課題を解決するための手段】
【０００９】
上記の課題を解決するために、本発明の組立式フェンスは、載置面に載置され所定重量を具備し上面に支持穴が設けられた台座と、前記支持穴に回転不能に嵌入される脚部および前記脚部より上方へ突出する軸部を備える支柱と、前記軸部に回転を規制されて設けられた係合部と、方形状に形成され前記係合部に係合する被係合部が側部に設けられたフェンスと、前記フェンスの下端隅部は、前記フェンスの前記被係合部が前記係合部に係合した状態において、前記フェンスが前記台座との間に所定隙間を介して配置される形状に形成され、前記フェンスの前記被係合部が前記係合部に係合した状態において、前記フェンスの下端は、前記台座が載置された前記載置面との間に所定の下端隙間を設けて配置される形状に形成されている。
【発明の効果】
【００１０】
本発明によると、方形状のフェンスが支柱に組み付けられた際に、フェンスの下端隅部は、フェンスが台座との間に所定隙間を介して配置される形状に形成されているので、台座が載置された載置面とフェンスの下端との間で、台座の高さ分だけ余分に上下方向に開口しないですむ。これによって、台座の載置面とフェンスの下端との所定下端隙間を最小限とすることができ、フェンス内への動物の侵入、フェンス外へ動物の逃亡、および幼児の抜け出しを防止することができる。
【図面の簡単な説明】
【００１１】
【図１】本発明の第１実施形態による組立式フェンスの正面図である。
【図２】支柱の両側に一対のフェンスが固定された部分を拡大して示す部分拡大図である。
【図３】台座を側方平面に対して直角な垂直面で切断して示す断面図である。
【図４】図２の平面図である。
【図５】図２のV-V断面図である。
【図６】図２のVI-VI断面図である。
【図７】図２のVII-VII断面図である。
【図８】図２のVIII-VIII断面図である。
【図９】上部鍔状部における係止部とフェンスの被係止部との係止状態を断面で示す断面図である。
【図１０】下部鍔状部における係止部とフェンスの被係止部との係止状態を断面で示す断面図である。
【図１１】第２実施形態における回動フェンスを示す正面図である。
【図１２】図１１のXII-XII断面図である。
【図１３】支柱に固定されたフェンスと支柱を中心に回動する回動フェンスとを組み合わせて示す平面図である。
【図１４】図１２の回動中心側の支柱およびフェンスを示す部分拡大図である。
【図１５】図１２における掛止側の支柱およびフェンスを示す部分拡大図である。
【図１６】被掛止部材を示す側面図である。
【図１７】図１６における係合保持部のXVII-XVII断面図である。
【図１８】被掛止部材を示す正面図である。
【図１９】矩形係止溝と逆台形係止条との別例における係合を断面で示す部分拡大図である。
【発明を実施するための形態】
【００１２】
＜第１の実施形態＞
以下、図１〜図１０に基づき、本発明の組立式フェンスの第１の実施形態について説明する。図１に示すように、本実施形態による組立式フェンス１は、主に、載置面（地面）ＧＤに載置され支持穴４が設けられた台座２と、台座２の支持穴４に嵌入されることで垂直に支持された支柱６と、支柱６に設けられる係合部８と、係合部８に係合される被係合部１４が側部１２に設けられたフェンス１０とから構成される。
【００１３】
台座２は、例えば鉄鋳物やセメント等により形成された所定重量（例えば、５〜１０ｋｇ）を有するものである。台座２は、図２、図３および図８に示すように、円の一部を直線で切断した一部円状で載置面（地面）に接する底面２ａと、任意な水平面２ａｐにおいて、底面２ａから上方に向かうにつれて、底面２ａの円部２ａａの半径２ａｒが徐々に小さくなる円弧が連続して形成する側方曲面２ｂと、円を切断した直線と平行に上方に向かって連続し、側方曲面２ｂの円弧の中心ＳＣとの距離が上方に向かって等しい側方平面２ｃと、を備えている。なお、側方平面２ｃと側方曲面２ｂの円弧の中心ＳＣとの距離は、上方に向かうにつれて少なくなってもよい。
支持穴４は、４角形状に形成され、側方曲面２ｂの底面２ａに平行な面における円弧の中心ＳＣに同軸に垂直に設けられる。また、側方平面２ｃと支持穴４とは、側方平面２ｃと支持穴４との間に強度的に充分な厚みを有するよう形成されている。
【００１４】
支柱６は、図２に示すように、例えばアルミ合金製の中実軸で、支持穴４に嵌入される脚部６１と、脚部６１より上方へ突出する軸部６２と、を有して構成される。
脚部６１は、図８に示すように、支持穴４に嵌入可能な断面４角形状に形成され、上下方向に延在する脚部６１の長さは支持穴４の深さより短く形成されている。支持穴４および脚部６１は、夫々４角形状に形成され、相互に嵌合することで台座２に対し脚部６１が回転不能となっている。脚部６１の外周壁と支持穴４の内周壁との間は、台座２に対して支柱６がぐらつかない程度の隙間が設定されている。なお、脚部６１の外周壁と支持穴４の内周壁との間に、接着剤、セメント等を充填することで、上述のぐらつきを防止してもよい。また、ゴム材や樹脂材からなるキャップ部材（図略）を脚部６１に予め被せておいて、脚部６１を支持穴４に嵌入したり、支持穴４にキャップ部材と同様なものを予め挿入しておき、脚部６１を支持穴４に嵌入したりしてもよい。
【００１５】
脚部６１の上端部には、図２に示すように、脚部６１より外径が大きなフランジ部６１ａが設けられている。フランジ部６１ａは、例えば溶接等により脚部６１の上端部に支柱６と一体に形成されている。フランジ部６１ａの上面には、フェンス１０の側部１２の被嵌合部（後述する逆台形係止条１４ａ）１４の下端部が当接し、支柱６に対するフェンス１０の下方移動を規制するよう構成される。
【００１６】
支柱６は、フランジ部６１ａの上端から脚部６１に連続して上方に軸部６２が突出している。軸部６２の下端部には、図２および図７に示すように、断面が正８角形状で、フランジ部６１ａよりも８角形状の外接円の外径が小さい８角形状部６２ａが所定の厚み（例えば、３〜５ｃｍ）で形成されている。軸部６２の上端部には、図２および図５に示すように、断面が正４角形状の４角形状部６２ｂが所定の厚み（例えば、３〜５ｃｍ）で形成されている。８角形状部６２ａと４角形状部６２ｂとの間は、図２および図６に示すように、上下方向に延在する断面円形状の円柱部６２ｃで構成される。円柱部６２ｃの外径は、８角形状部６２ａの外接円の外径より小さく、４角形状部６２ｂの外接円の外径より大きく形成されている。
【００１７】
８角形状部６２ａには、係合部８としての下部鍔状部８１ａが外嵌されている。下部鍔状部８１ａには、図７および図１０に示すように、８角形状部６２ａが嵌入する８角形状の嵌合穴８１１ａが形成されている。支柱６の軸心ＪＣと下部鍔状部８１ａの軸心ＬＣとは同軸に設けられている。また、下部鍔状部８１ａは、例えば、アルミ合金製鋳物等で形成されている。下部鍔状部８１ａには、係止部としての矩形係止溝８２ａが円周方向に沿って複数配置されている。矩形係止溝８２ａは、図１０に示すように、下部鍔状部８１ａの軸心ＬＣから外周側に向かって溝幅が一定の矩形状に形成され、下部鍔状部８１ａを上下方向に連通するように形成されている。矩形係止溝８２ａの外周側は、それぞれ開口している。矩形係止溝８２ａは、下部鍔状部８１ａの軸心ＪＣを中心に４５°毎に形成されている。矩形係止溝８２ａには、後述するフェンス１０の側部１２に設けられた逆台形係止条１４ａが係合される。
【００１８】
８角形状部６２ａを正８角形状とすることで、支柱６として強度を確保するための外径を大きく取ること、下部鍔状部８１ａの回転を規制して嵌合すること、および下部鍔状部８１ａの円周方向に沿って４５°毎に配置される矩形係止溝８２ａの軸心ＪＣ側の肉厚を均等にすること、を同時に確保することができる。フランジ部６１ａと下部鍔状部８１ａとの間には台金部材１６が配設されている（図２参照）。
【００１９】
前記４角形状部６２ｂには、図５および図９に示すように、係合部８としての上部鍔状部８１ｂが外嵌されている。上部鍔状部８１ｂには、４角形状部６２ｂが嵌入する４角形状の嵌合穴８１１ｂが形成されている。４角形状部６２ｂに嵌合する嵌合穴８１１ｂを４角形状とすることで、４角形状部６２ｂに対して上部鍔状部８１ｂが軸線回りに回転することが規制されている。上部鍔状部８１ｂは、下部鍔状部８１ａとともに鍔状部８１を構成する。上部鍔状部８１ｂは、下部鍔状部８１ａと同様に、例えば、アルミ合金製鋳物等で形成されている。なお、上部鍔状部８１ｂおよび下部鍔状部８１ａは、アルミ合金製鋳物に限定されず、例えばＦ．Ｒ．Ｐ．（Ｆｉｂｅｒ  Ｒｅｉｎｆｏｒｃｅｄ  Ｐｌａｓｔｉｃｓ）でもよい。支柱６の軸心ＪＣと上部鍔状部８１ｂの軸心ＵＣとは同軸に設けられている。上部鍔状部８１ｂには、係止部としての台形係止溝８２ｂが円周方向に沿って複数配置されている。台形係止溝８２ｂは、図９に示すように、上部鍔状部８１ｂの軸心ＪＣから外周側に向かって溝幅が徐々に狭くなる台形状に形成され、上部鍔状部８１ｂを上下方向に連通するように形成されている。台形係止溝８２ｂは、外周側がそれぞれ開放している。台形係止溝８２ｂは、上部鍔状部８１ｂの軸心ＵＣを中心に４５°毎に形成されている。台形係止溝８２ｂには、後述するフェンス１０の側部１２に設けられた逆台形係止条１４ａが係合される。
【００２０】
上部鍔状部８１ｂの上側には、図２および図４に示すように、円盤状の外れ止め部材１８が設けられている。４角形状部６２ｂの上端面には、４角形状部６２ｂの軸心ＪＣに沿って雌ネジ孔が穿設され、外れ止め部材１８は、雌ネジ孔に螺入されるボルト２０によって４角形状部６２ｂの上端面に締結される。ボルト２０が締結された際に、外れ止め部材１８の下面は、上部鍔状部８１ｂの上面に当接する。これによって、上部鍔状部８１ｂが支柱６より外れるのが防止される。
また、前記下部鍔状部８１ａの８角形状の嵌合穴８１１ａの内接円の内径は、４角形状部６２ｂの外接円の外径よりも大きく、かつ、円柱部６２ｃの外径よりも大きく形成されている。
【００２１】
フェンス１０は、図１に示すように、例えばアルミ合金製鋳物で形成されたもので、方形の平面状に形成されている。フェンス１０は外周部に沿って所定の幅で、フェンス１０の面に直角な方向の板厚が厚い枠状部１０ａと、枠状部１０ａに囲まれた枠状部１０ａよりも板厚の薄い薄板状部１０ｂとを有している。枠状部１０ａの両側部１２には、被係合部１４および被係止部としての逆台形係止条１４ａが上下方向に延在して設けられている。逆台形係止条１４ａは、水平方向の断面形状が、先端部に向かって徐々に広くなる逆台形状に設けられる。
なお、フェンス１０の面（フェンス面）とは、方形の平面状に形成されたフェンス１０において、最も広い面積を構成する面をさすものである。以下の記載において同様である。
また、フェンス１０は、アルミ合金製鋳物に限定されず、例えば、アルミ型材を組み合わせ、組み合わせた型材をネジ等で固定することで、枠状部と薄板状部とを形成するものでもよい。
【００２２】
フェンス１０の下端隅部１０ｃは、図２、図４および図６に示すように、フェンス１０の逆台形係止条１４ａの上部が上部鍔状部８１ｂの台形係止溝８２ｂに、逆台形係止条１４ａの下部が下部鍔状部８１ａの矩形係止溝８２ａに、夫々係合した状態において、フェンス１０と同一平面で切断した台座２の断面形状ＰＣＳに所定隙間ｔ１を介して配置される形状で形成されている。
【００２３】
所定隙間ｔ１を介して配置される形状とは、対向する二つの物体の形状がせり合うことがなく，所定隙間ｔ１を間に介して相互に補い合える形状であり、例えば一方が凹であれば、他方は凸であるような関係にある形状である。第１実施形態においては、台座２の側面（側方曲面２ｂ）が膨らんだ曲面であるため、フェンス１０と同一平面で切断した台座２の断面形状ＰＣＳは前記曲面に含まれる曲線を有し、フェンス１０の下端隅部１０ｃは、前記曲線に倣ったへこんだ曲線を含む曲面形状で構成される。
【００２４】
フェンス１０の下端隅部１０ｃが、台座２の外形面に対して所定隙間ｔ１を介して配置される形状で形成されているため、下端隅部１０ｃによって、フェンス１０の下端と載置面ＧＤとの間において、台座２の高さ分を余分に上下方向に開口させる必要がなくなる。そのため、フェンス１０の逆台形係止条１４ａが、支柱６の上部に設けられた上部鍔状部８１ｂの台形係止溝８２ｂと、支柱６の下部に設けられた下部鍔状部８１ａの矩形係止溝８２ａとに、係合した状態において、フェンス１０の下端は、台座２が載置された載置面（地面）ＧＤとの間に、最小限の隙間である所定の下端隙間ｔ２を設けて位置決めできる。
【００２５】
（組み立て方法）
上記のように構成された組立式フェンス１の組み立て方法を以下に説明する。
まず、台座２を組立式フェンス１で囲う場所の境界線に沿って配置する。その際、施工される１枚のフェンス１０の幅に合わせて台座２相互の間隔を決め、各台座２を仮置きする。台座２は、支持穴４が境界線の内側であって、側方平面２ｃが境界線或いは隣接する家屋の壁に平行となるように位置決めする。
次に、位置決めされた各台座２の支持穴４に、支柱６の脚部６１を嵌入し、各台座２に支柱６を立設する。
【００２６】
次に、支柱６の先端より台金部材１６を嵌め込み、台金部材１６を支柱６のフランジ部６１ａの上端位置に配置する。
続いて、支柱６の先端より下部鍔状部８１ａを嵌め込み、下部鍔状部８１ａを、フランジ部６１ａの上部にある８角形状部６２ａに外嵌させる。下部鍔状部８１ａは、下端面が台金部材１６の上端面に当接することで、台金部材１６の下端面に当接するフランジ部６１ａにより支柱６に対する下方への移動が規制される。
【００２７】
このように、下部鍔状部８１ａが外嵌された支柱６を対に配置し、これらの支柱６の間にフェンス１０を配置する。フェンス１０の側部１２を下部鍔状部８１ａの上端部より上方に配置し、対となった支柱６における下部鍔状部８１ａの矩形係止溝８２ａに、フェンス１０の側部１２の逆台形係止条１４ａを夫々対向させる。フェンス１０を支柱６に対して下降させることで、フェンス１０の逆台形係止条１４ａを、下部鍔状部８１ａの矩形係止溝８２ａに係合させる。逆台形係止条１４ａの下端部は、フランジ部６１ａの上端面に当接する。なお、台座２をフェンス１０の面と平行に移動させることで、フェンス１０の逆台形係止条１４ａを、下部鍔状部８１ａの矩形係止溝８２ａに係合させてもよい。
【００２８】
次に、フェンス１０の逆台形係止条１４ａの上端部を、支柱６の４角形状部６２ｂに対向させて保持する。フェンス１０および支柱６の上方より、上部鍔状部８１ｂを接近させる。そして、上部鍔状部８１ｂの嵌合穴８１１ｂを４角形状部６２ｂに嵌合させ、同時に、上部鍔状部８１ｂの台形係止溝８２ｂをフェンス１０の逆台形係止条１４ａに嵌合させる。４角形状部６２ｂに外嵌する４角形状の嵌合穴８１１ｂの内周円の外径は、円柱部６２ｃの外径より小さいため、上部鍔状部８１ｂは、下端面が円柱部６２ｃの上端面に当接することで、支柱６に対する下方への移動が規制される。
【００２９】
次に、外れ止め部材１８を、上部鍔状部８１ｂが外嵌した支柱６の上端部に被せ、ボルト２０を支柱６の先端面に設けられた雌ネジ孔に螺合させ、ボルト２０を締結することで、上部鍔状部８１ｂが支柱６より外れることを防止する。
【００３０】
支柱６にフェンス１０を組み付ける場合、下端隅部１０ｃは台座２の外形面に所定隙間ｔ１を介して配置される形状で形成されているので、下端隅部１０ｃによって、フェンス１０の下端面と台座２が載置された面ＧＤとの間で、台座２の高さ分だけ余分に上下方向に開口させる必要がない。そのため、台座２の載置面とフェンスの下端面との所定の下端隙間ｔ２を最小限に設定することができる。
【００３１】
このように、実施形態１の組立式フェンス１は、支柱６を地面に固定するための特別な工事を必要とすることがない。また、支柱６へのフェンス１０の組み付けにおいて、フェンス１０の被係合部（逆台形係止条１４ａ）１４の下部を支柱６に設けられた下部鍔状部８１ａに係合させ、その後、被係合部１４の上端部と支柱６の上端部とを上部鍔状部８１ｂで係合させる。このように、支柱６の上部鍔状部８１ｂの台形係止溝８２ｂと下部鍔状部８１ａの矩形係止溝８２ａとに、重量のあるフェンス１０を保持して被係合部１４を同時に、係合させるという困難な作業をおこなう必要がなく、簡単かつ安全に組み立てることができる。
このように組み立てられた組立式フェンス１は、所定重量を有する台座２に支持された支柱６により、安定して自立した状態で、必要な範囲の場所を囲うことができる。
【００３２】
上述した記載で明らかなように、第１実施形態の組立式フェンス１は、載置面ＧＤに載置され所定重量を具備し上面に支持穴４が設けられた台座２と、支持穴４に回転不能に嵌入される脚部６１および脚部６１より上方へ突出する軸部６２を備える支柱６と、軸部６２に回転を規制されて設けられた係合部（鍔状部８１）８と、方形状に形成され係合部８に係合する被係合部１４が側部１２に設けられたフェンス１０と、フェンス１０の下端隅部１０ｃは、フェンス１０の被係合部１４が係合部８に係合した状態において、フェンス１０が台座２との間に所定隙間ｔ１を介して配置される形状に形成され、フェンス１０の被係合部１４が係合部８に係合した状態において、フェンス１０の下端は、台座２が載置された面との間に所定の下端隙間ｔ２を設けて配置される形状に形成されている。
【００３３】
これによると、フェンス１０が支柱６に組み付けられた際に、フェンス１０の下端隅部１０ｃは、台座２の外形面に所定隙間ｔ１を介して配置される形状で形成されているので、台座２が載置された載置面ＧＤとフェンス１０の下端面との間で、台座２の高さ分だけ余分に上下方向に開口しないですむ。これによって、台座２の載置面ＧＤとフェンス１０の下端との下端隙間ｔ２を最小限とすることができ、フェンス１０内への動物の侵入、フェンス１０外へ動物の逃亡、および幼児の抜け出しを防止することができる。
【００３４】
また、係合部８は、支柱６と同軸に設けられた鍔状部８１と、鍔状部８１に円周方向に沿って複数配置された矩形係止溝８２ａおよび台形係止溝８２ｂと、を有し、被係合部１４は、フェンス１０の側部１２に上下方向に沿って延在し、少なくともフェンス１０の面に対して直角な方向に抜けないように矩形係止溝８２ａまたは台形係止溝８２ｂに係止される逆台形係止条１４ａを、有している。
【００３５】
これによると、鍔状部８１に設けられた矩形係止溝８２ａまたは台形係止溝８２ｂに逆台形係止条１４ａを係止させるだけで、支柱６に対してフェンス１０をフェンス１０の面に直角な方向に抜けないように係合することができる。また、逆台形係止条１４ａを、鍔状部８１の円周方向の複数配置された矩形係止溝８２ａおよび台形係止溝８２ｂのいずれかに係止させることで、支柱６を中心に両側に対となったフェンス１０が形成する角度を、任意に変更することができる。
【００３６】
また、矩形係止溝８２ａおよび台形係止溝８２ｂは、各鍔状部８１に円周方向に沿って４５°毎に配置される。
これによると、支柱６を中心として両側に対となるフェンス１０の角度を、フェンス１０が使用されるニーズに応じて、４５°の整数倍の角度で自由に設定することができる。例えば、突出する組立フェンス１のコーナーにおいて、４５°の３倍である１３５°の角度を形成するフェンス１０を、両側に配するように支柱６を二つ並べてコーナーを形成することで、車両が曲がるときに内輪差が原因で車両の側面が組立フェンス１のコーナーに接触するのを防止でき、車両の出入りが容易な車庫を形成することができる。
【００３７】
また、鍔状部８１は、軸部６２の上端に設けられフェンス１０の上部に対応する上部鍔状部８１ｂと、軸部６２の下端に設けられフェンス１０の下部に対応する下部鍔状部８１ａとを有している。
これによると、フェンスの高さが高い場合でも、上部鍔状部８１ｂに設けられた台形係止溝８２ｂ係止部と、下部鍔状部８１ａに設けられた矩形係止溝８２ａとによって、フェンス１０の上部および下部を係合することで、背の高いフェンス１０を支柱６に強固に係合することができる。
【００３８】
また、上部鍔状部８１ｂの係止部は、上部鍔状部８１ｂの軸心ＪＣ側から外周側に向かって溝幅が徐々に狭くなる台形状に設けられた台形係止溝８２ｂであり、下部鍔状部８１ａの係止部は、下部鍔状部８１ａの軸心ＪＣ側から外周側に向かって溝幅が一定の矩形状に設けられた矩形係止溝８２ａであり、被係合部１４の被係止部は、水平方向の断面形状が、先端部に向かって徐々に広くなる逆台形状に設けられる逆台形係止条１４ａである。
これによると、上部鍔状部８１ｂの台形係止溝８２ｂと、被係合部１４の逆台形係止条１４ａとは、係合されるとフェンス面と平行な水平方向およびフェンス面と直角な方向への係脱が規制されて係止される。下部鍔状部８１ａの矩形係止溝８２ａと、被係合部１４の逆台形係止条１４ａとは、係合されると、フェンス面と直角な方向への係脱が規制され、フェンス面と平行な水平方向へは相対移動が可能である。その結果、台座２が設置される載置面ＧＤに凹凸があって、一部の支柱６に傾斜が生じる場合においても、下部鍔状部８１ａの矩形係止溝８２ａと、被係合部１４の逆台形係止条１４ａとのフェンス面と平行な水平方向への相対移動によって、支柱６の傾斜による影響を吸収してフェンス１０が傾斜するのを抑制する。このように支柱６に生じた傾斜をフェンス１０に及ぼすことなく、常に水平に整った状態でフェンス１０を設置することができる。
【００３９】
また、台座２は、円の一部を直線で切断した一部円状をなして載置面ＧＤに接する底面２ａと、任意の水平面において、底面２ａから上方に向かうにつれて、底面２ａの円部２ａａの半径２ａｒが徐々に小さくなる円弧が連続して形成する側方曲面２ｂと、円を切断した直線と平行に上方に向かって連続し、側方曲面２ｂの円弧の中心ＳＣとの距離が上方に向かって等しい側方平面２ｃと、を備え、支持穴４は、側方曲面２ｂの底面２ａに平行な面における円弧の中心ＳＣに同軸に設けられる。
これによると、台座２の側方曲面２ｂを形成する水平面上の円弧中心ＳＣから常に同じ距離で、フェンス１０の下端隅部１０ｃが位置決め配置される。そのため、支柱６の軸心ＪＣを中心にフェンス１０をいずれの角度で設置しても、フェンス１０の下端隅部１０ｃと台座２の表面とが接触することなく所定隙間ｔ１を確保して設置することができる。また、側方平面２ｃを土地の境界側や隣接する家屋の壁に向けて配置することで、フェンス１０を境界側や壁に詰めて配置することができ、フェンス１０で囲う面積を広くとることが可能となる。
【００４０】
＜第２の実施形態＞
以下、図１１〜図１８に基づき、本発明の組立式フェンスの第２の実施形態について説明する。
第２実施形態における組立式フェンス１０１は、以下の２点において第１実施形態と相違する。
（１）第１実施形態と同一形状のフェンスが、一方の側部１１２ａに設けられた被係合部１１４に係合し固定されるとともに、前記一方の側部１１２ａに平行して隣接する支柱６に回転可能に組付けられたヒンジ部材１２０、および他方の側部１１２ｂに設けられた被係合部１１４に掛止部材１３０を備えることで、第２実施形態における回動フェンス１１０を構成すること。
（２）第１実施形態と同一形状の支柱であって、回動フェンス１１０が閉状態のときに、前記他方の側部１１２ｂに隣接する他方支柱１０６に掛止部材１３０を掛止する被掛止部１３５が設けられていること。
その他の構成は、第１実施形態と同様であるので、同じ符号を付与して説明を省略する。
【００４１】
ヒンジ部材１２０は、例えば、アルミ合金製鋳物等により形成されている。ヒンジ部材１２０は、図１２、図１３および図１４に示すように、半円弧状の内側を対向させて形成され支柱６に回動自在に組み付けられる把持爪部１２１と、先端に向かって徐々に溝幅が狭くなる台形状の把持溝１２２と、把持溝１２２の底部基端側に該底部の面に直角な方向に所定深さ延在して設けられた締結隙間部１２３と、締結隙間部１２３に直角な方向に締結隙間部１２３を貫通して設けられた締結ボルト１２５と締結ボルト１２５に螺合されるナット１２６と、を備えている。被係合部１１４である逆台形係止条１４ａに把持溝１２２を係合した状態で、締結ボルト１２５にナット１２６を締結することで、締結隙間部１２３が形成する溝巾を狭くし、把持溝１２２の対向する溝側壁間の距離を小さくすることで、被係合部１１４にヒンジ部材１２０を固定するよう構成される。
なお、ヒンジ部材１２０はアルミ合金製鋳物により作成されているものに限定されず、例えばＦ．Ｒ．Ｐ．製でもよい。また、ヒンジ部材１２０がアルミ合金製鋳物の場合に、半円弧状の把持爪部１２１の内側の壁に、支柱６の軸部６２との接触を円滑にする樹脂コーティング加工をしてもよい。
【００４２】
掛止部材１３０は、例えば鋳鉄製鋳物により形成され、図１５、図１６および図１８に示すように、掛止部１３１と、嵌合保持部１３２と、環状把持部１３３とを備えて構成される。なお、掛止部材１３０は、鋳鉄製鋳物により形成されたものに限定されず、例えば、アルミ合金製鋳物により形成されたものでもよい。
掛止部１３１は、水平方向が長い矩形板状に形成されている。掛止部１３１の先端部は後述する被掛止部１３５に嵌合することで掛止されるようになっている。掛止部１３１の基端部には、下方に向かって突出する一対の棒状部１３２ａからなる嵌合保持部１３２が一体に形成されている。棒状部１３２ａは、断面台形であり、棒状部１３２ａの対向面は、図１７に示すように、回動フェンス１１０の逆台形係止条１４ａが両側から挟持されるようにテーパ面１３２ｂが形成されている。掛止部１３１の基端部の上面には、掛止部１３１の長手方向と平行な軸心を有する環状把持部１３３が、環状の下部が掛止部１３１と一体に統合されて形成されている。
【００４３】
他方支柱１０６の上端部に設けられる外れ止め部材１１８は、図１５に示すように、水平方向の一方および上方が開放した凹部１３５ａからなる被掛止部１３５が形成されている。被掛止部１３５には、回動フェンス１１０が閉状態のときに、回動フェンス１１０の他方の側部１１２ｂに設けられた掛止部１３１が掛止される。
【００４４】
第２実施形態における組立式フェンス１０１は、支柱６に固定される第１実施形態と同一形状のフェンスの一方の側部１１２ａを、ヒンジ部材１２０により支柱６に回動可能に組み付けるとともに、他方の側部１１２ｂに設けた掛止部材１３０を他方支柱１０６に設けた被掛止部１３５に掛止することで、開閉可能な回動フェンス１１０を構築することができる。そして、図１３に示すように、土地の境界線ＳＬに沿って配置された支柱６に固定されたフェンス１０と、回動フェンス１１０とを自由に組み合わせた組立式フェンス１・１０１を簡単に構築することができる。
その他の作用効果は、第１実施形態と同様なので、説明を省略する。
【００４５】
上述のように記載したことで明らかなように第２実施形態の組立式フェンス１０１は、支柱６に固定されたフェンス１０と同一形状のフェンス１１０が、一方の側部１１２ａが支柱６と平行に隣接する状態で、回動フェンス１１０として設けられ、支柱６と同一形状の支柱が、閉状態に位置された回動フェンス１１０の他方の側部１１２ｂと平行に隣接する状態で、他方支柱１０６として並設され、支柱６の軸部６２に回動可能に組付けられるとともに、回動フェンス１１０の一方の側部１１２ａに設けられた被係合部１１４に係合し固定されたヒンジ部材１２０と、回動フェンス１１０の他方の側部１１２ｂに設けられた被係合部１１４に、上下方向に移動可能にかつ水平方向に離脱不能に係合する掛止部材１３０と、他方支柱１０６に設けられ、掛止部材１３０の上下方向の移動により掛止部１３１に掛止または離脱される被掛止部１３５と、がさらに設けられる。
【００４６】
これによると、支柱６の軸部６２に回動可能に組付けられ、フェンス１１０の一方の側部１１２ａに設けられた被係合部１１４に係合し固定されたヒンジ部材１２０によって、支柱６に固定されたフェンス１０と同形状のフェンスを回動可能な回動フェンス１１０とすることができる。回動フェンス１１０の他方の側部１１２ｂに設けられた被係合部１１４を利用して係合する掛止部材１３０により、他方の側部１１２ｂに隣接する他方支柱１０６に設けられた被掛止部１３５に掛止することで、回動フェンス１１０を閉状態で保持することができる。このように、フェンス１０が固定される組立式フェンス１に、ヒンジ部材１２０、掛止部材１３０および被掛止部１３５を追加するだけで、開閉可能な回動フェンス１１０を簡単に構築することができる。
【００４７】
なお、上述した実施形態において、係止部を、下部鍔状部８１ａにおいて矩形係止溝８２ａ、または上部鍔状部８１ｂにおいて台形係止溝８２ｂとし、フェンス１０の被係止部を逆台形係止条１４ａとしたが、これに限定されず、例えば、下部鍔状部および上部鍔状部における係止部が、両方とも台形係止溝でもよい。また、上部鍔状部および下部鍔状部において、係止部を「条」で形成し、フェンスの被係止部を「条」に係合する「溝」で形成してもよい。
【００４８】
また、支柱６と台座２とが、ばらばらになった状態で組立場所に搬入し、フェンス１０を組み立てる際に、載置面ＧＤに載置された台座２の支持穴４に支柱６の脚部６１を嵌入することで、組み立てを開始するものとしたが、これに限定されず、例えば、支柱と台座とが予め一体に固定されたものを、組立場所に搬入してもよい。
【００４９】
また、支柱６の脚部６１の断面形状を４角形状とし、軸部６２の下端部を８角形状、軸部６２の上端部を４角形状としたが、これに限定されず、例えば、３角形状、６角形状、１０角形状等のように、嵌合される物（台座、鍔状部等）と支柱との相対回動を規制できる形状を任意に選択することができる。
【００５０】
また、鍔状部８１は、軸部６２の上端部に設けられる上部鍔状部８１ｂと、軸部６２の下端部に設けられる下部鍔状部８１ａとしたが、これに限定されず、例えば、鍔状部の厚みを厚く形成し、鍔状部を支柱６の軸部６２の上下方向の中間部に１つ設けるものでもよい。
また、図１９に示すように、矩形係止溝８２ａの開口縁に、開口を狭める方向に突出する一対の掛止突起８２ａ１を突設し、逆台形係止条１４ａの先端側の両側面に掛止突起８２ａ１にそれぞれ掛止する掛止溝１４ａ１を設けてもよい。これにより、フェンス面と平行な方向の相対移動によって、矩形係止溝８２ａと逆台形係止条１４ａとが離脱してしまうことを防止することができる。
また、上述した実施形態において、フェンス１０を枠状部１０ａと薄板状部１０ｂとから構成されるものとしたが、これに限定されず、例えば薄板状部に替えて、網状、格子状、ルーバー状等のものとすることができる。
【００５１】
斯様に、上記した実施の形態で述べた具体的構成は、本発明の一例を示したものにすぎず、本発明はそのような具体的構成に限定されることなく、本発明の主旨を逸脱しない範囲で種々の態様を採り得るものである。
【符号の説明】
【００５２】
１…組立式フェンス、２…台座、２ａ…底面、２ｂ…側方曲面、２ｃ…側方平面、４…支持穴、６…支柱、８…係合部、１０…フェンス、１０Ｃ…下端隅部、１２…側部、１４…被係合部、１４ａ…逆台形係止条（被係止部）、６１…脚部、６２…軸部、８１…鍔状部、８１ａ…下部鍔状部、８１ｂ…上部鍔状部、８２ａ…矩形係止溝（係止部）、８２ｂ…台形係止溝（係止部）、１０１…組立式フェンス、１０６…他方支柱、１１０…回動フェンス、１１２ａ…一方の側部、１１２ｂ…他方の側部、１１４…被係合部、１２０…ヒンジ部材、１３０…掛止部材、１３５…被掛止部、ＧＤ…載置面、ＰＣＳ…台座の断面形状、ＳＣ…円弧の中心、ｔ１…所定隙間、ｔ２…所定下端隙間。
【図１】
2016079664.tif 000003
【図２】
2016079664.tif 000004
【図３】
2016079664.tif 000005
【図４】
2016079664.tif 000006
【図５】
2016079664.tif 000007
【図６】
2016079664.tif 000008
【図７】
2016079664.tif 000009
【図８】
2016079664.tif 000010
【図９】
2016079664.tif 000011
【図１０】
2016079664.tif 000012
【図１１】
2016079664.tif 000013
【図１２】
2016079664.tif 000014
【図１３】
2016079664.tif 000015
【図１４】
2016079664.tif 000016
【図１５】
2016079664.tif 000017
【図１６】
2016079664.tif 000018
【図１７】
2016079664.tif 000019
【図１８】
2016079664.tif 000020
【図１９】
2016079664.tif 000021